(57)【要約】      （修正有）【課題】かごが階間に停止した場合、かごを動かす構造が簡単であり、かごが少ない力で乗場位置に昇降できるエレベータ装置を提供する。【解決手段】エレベータ装置は、昇降路１内に固定された支持部と、この支持部に固定された引張手段と、支持部に固定されて引張手段と連結する伸縮手段と、かご８の下端部と釣合いおもり９の下端部とに連結されてかご８と釣合いおもり９とのバランスを保持するバランス保持手段１０と、を備えている。かご８が停止した場合、引張手段からの力で伸縮手段を伸長させる。伸縮手段に連結するバランス保持手段１０が伸縮手段の伸長方向に引っ張られることにより、バランス保持手段１０に連結するかご８が動くものである。【選択図】図１
2015209294.tif 000002
【特許請求の範囲】
【請求項１】
かごと釣合いおもりとが昇降路内を動くエレベータ装置において、
前記昇降路内に固定された支持部と、
前記支持部に固定された引張手段と、
前記支持部に固定され、前記引張手段と連結する伸縮手段と、
前記かごの下端部と前記釣合いおもりの下端部とに連結され、前記かごと前記釣合いおもりとのバランスを保持するバランス保持手段とを備え、
かごが停止した場合、
前記バランス保持手段が前記伸縮手段に連結され、
前記伸縮手段が前記引張手段の力により伸長し、
前記バランス保持手段が前記伸縮手段の伸長方向に引っ張られることにより、前記かごと前記釣合いおもりとが動くことを特徴とするエレベータ装置。
【請求項２】
前記引張手段の上部に固定され、前記昇降路の壁面と平行な面にスライド溝を有した引張手段金具を備えることを特徴とする請求項１に記載のエレベータ装置。
【請求項３】
前記伸縮手段は、伸縮するパンタグラフであることを特徴とする請求項１または請求項２に記載のエレベータ装置。
【請求項４】
前記伸縮手段は、菱形の折り畳み式で、上下自在に伸縮することを特徴とする請求項３に記載のエレベータ装置。
【請求項５】
前記引張手段は電動ジャッキとし、前記昇降路に設置された制御盤の電源で前記電動ジョッキを動かす操作ユニットを有することを特徴とする請求項１から請求項４いずれかに記載のエレベータ装置。
【請求項６】
前記引張手段は、油圧ジャッキ、手巻き式ジャッキ、または電動ジャッキであることを特徴とする前記請求項１に記載のエレベータ装置。
【請求項７】
前記支持部は、前記昇降路内において前記かごが昇降する側に固定されたことを特徴とする請求項１に記載のエレベータ装置。
【請求項８】
前記支持部は、前記昇降路内において前記釣合いおもりが昇降する側に固定されたことを特徴とする請求項１に記載のエレベータ装置。
【発明の詳細な説明】
【技術分野】
【０００１】
この発明は、エレベータ装置に関するものである。
【背景技術】
【０００２】
従来のエレベータ装置は、例えば、故障あるいは停電などにより、かごが釣合いおもりと平衡状態で、かつ、階間で停止した場合、巻上機のブレーキが開放され、救出おもりを使わず、ロープ保持具がガバナーロープまたはコンペンロープを挟んで固定される。また、ロープ保持具は昇降路の底部に設置された下部返し車を介して牽引ロープと連結する。牽引ロープが外部の力で引っ張られることにより、ロープ保持具に挟んだガバナーロープやコンペンロープが連動する。ガバナーロープやコンペンロープが連動することにより、かごと釣合いおもりとの間の平衡が解消するため、停止したかごは、階間から移動する。上述のとおり、かごを階間から移動することができるエレベータ装置が、従来技術として開示されている。
【先行技術文献】
【特許文献】
【０００３】
【特許文献１】特開２０１１−６２１８号公報
【特許文献２】特開２０１１−４６４５６号公報
【発明の概要】
【発明が解決しようとする課題】
【０００４】
しかしながら、従来のエレベータ装置では、例えば、かごが階間に停止した場合、ガバナーロープまたはコンペンロープを引っ張ることにより、かごを動かす構造である。この構造では、かごを動かすために、外部からの相当な力を要するとともに、構造が複雑であるという問題点があった。
【０００５】
この発明は、かかる課題を解決するためになされたものであって、かごが停止した場合、簡単な構造で、且つ少ない力で、かごを動かすことを目的とする。
【課題を解決するための手段】
【０００６】
この発明にかかるエレベータ装置は、
かごが停止した場合、バランス保持手段が伸縮手段の伸長方向に引っ張られることにより、かごと釣合いおもりとが動くものである。
【発明の効果】
【０００７】
この発明は、かごが停止した場合、バランス保持手段が伸縮手段の伸長方向に引っ張られるため、簡単な構造で、且つ少ない力で、かごを動かす、ことができる。
【図面の簡単な説明】
【０００８】
【図１】この発明に係る実施の形態１によるエレベータ装置の側面図である。
【図２】図１のＡ部分を示す拡大詳細図である。
【図３】図２の支持部１３をガイドレールに取付た状態を示す詳細図である。
【図４】図２の伸縮手段を示す詳細図である。
【図５】この発明に係る実施の形態１によるエレベータ装置のバランス保持手段の引っ張りが完了したことを示す側面図である。
【図６】図５のＢ部分を示す拡大詳細図である。
【図７】図６の支持部１３をガイドレールに取付た状態を示す詳細図である。
【図８】図６の状態の伸縮手段を示す詳細図である。
【図９】図１のＡ部分を釣合いおもり側に取付けた状態を示す側面図である。
【図１０】この発明に係る実施の形態２によるエレベータ装置の側面図である。
【図１１】図１０のＣ部分を示す拡大詳細図である。
【図１２】この発明に係る実施の形態２によるエレベータ装置のバランス保持手段の引っ張りが完了したことを示す側面図である。
【図１３】図１２のＤ部分を示す拡大詳細図である。
【図１４】この発明に係る実施の形態３によるエレベータ装置の側面図である。
【図１５】図１４のＥ部分を示す拡大詳細図である。
【図１６】この発明に係る実施の形態３によるエレベータ装置のバランス保持手段の引っ張りが完了したことを示す側面図である。
【図１７】図１６のＦ部分を示す拡大詳細図である。
【発明を実施するための形態】
【０００９】
実施の形態１．
以下、図を用いてこの発明の実施の形態１について説明する。なお、この実施の形態によりこの発明が限定されるものではない。
【００１０】
図１〜図４は、この発明に係る実施の形態１によるエレベータ装置を示す図である。
【００１１】
図１において、エレベータの昇降路１には、レールブラケット２を備えるガイドレール３が、昇降路１の頂部から底部にかけて垂直方向に設置されている。昇降路１の頂部には、図１のガイドレール３の右側に、制御盤４と基台６とが設けられている。制御盤４が基台６に固定されている。また、昇降路１の頂部には、図１のガイドレール３の左側に、巻上機５が設けられている。巻上機５は、モータ（図示せず）、綱車（図示せず）、ブレーキ（図示せず）などで構成され、制御盤４と電気的に接続されている。制御盤４の内部には、巻上機５のブレーキの開放回路（図示せず）が、設けられている。
【００１２】
巻上機５の綱車には巻上ロープ７が懸架され、巻上ロープ７の一端には、かご８が吊持され、他端に釣合いおもり９が、吊持されている。即ち、かご８と釣合いおもり９とが、巻上機５の綱車につるべ式により吊持されている。
【００１３】
ガイドレール３は、かご８の水平方向の移動を抑制すると共に、かご８の垂直方向の移動を案内する。また、昇降路１には、昇降路１の頂部から底部にかけて垂直方向におもりガイドレール（図示せず）が設けられ、釣合いおもり９の水平方向の移動を抑制すると共に、釣合いおもり９の垂直方向の移動を案内する。これにより、巻上機５の綱車が回転して、それぞれのガイドレールはかご８と釣合いおもり９との昇降を案内する。
【００１４】
さらに、エレベータのかご８が最上階近くへ上昇した場合、または最下階へ下降した場合には、釣合いおもり９とかご８を連結する巻上ロープ７の長さが極端に異なるため、かご８と釣合いおもり９とがアンバランスになる。このため、かご８と釣合いおもり９とのバランスを調整するため、かご８の底部と釣合いおもり９の底部とに固定されたバランス保持手段１０を設ける。バランス保持手段１０は、かご８と釣合いおもり９との下端部の間に垂れ下げられる。ここでのバランス保持手段１０は、コンペンチェーン、またはコンペンロープを用いる。
【００１５】
制御盤４はエレベータ加減速・停止等の指令を出す装置である。制御盤４は、ケーブル１２Ａ、１２Ｂを介して、最下階乗場操作盤を備える操作ユニット１１と接続する。ここで、エレベータのユーザー、または保守作業員は、操作ユニット１１の最下階乗場操作盤を操作することにより、ブレーキ解放指令を入力する。入力されたブレーキ解放指令を制御盤４が受信することにより、制御盤４がブレーキ解放指令を巻上機５に出力する。
【００１６】
図２は、図１のＡ部分を示す拡大詳細図である。図２においては、かご８と釣合いおもり９との下端部の間に垂れ下がるバランス保持手段１０を有するエレベータ装置を示す。支持部１３は、昇降路１の下層階側の乗場付近において、ガイドレール３に固定される。この支持部１３には、外部からの力によって、昇降路１の上方向に伸長する引張手段１４が、設けられる。この引張手段１４には、伸縮手段１５が連結される。この伸縮手段１５は、引張手段１４の伸長によって、昇降路１の下方向に伸長する。また、引張手段１４は、外部からの力を伝えるための操作レバー１６を備える。
【００１７】
支持部１３は、ガイドレール３にクリップで固定されてもよい。またはガイドレール３に支持部１３を設置せず、支持部１３は、昇降路１の壁面などにも設置しても良い。更にまた、図３に示すように、支持部１３は、ガイドレール３に設けられたレールブラケット２に固定しても良い。
【００１８】
引張手段１４は、少ない力で一定場所に設置された対象物を支えたり、持ち上げる装置であるため、引張手段１４として、ジャッキを用いて、ジャッキは油圧ジャッキ、手巻き式のジャッキ、及び電動ジャッキなどを用いる。
【００１９】
また、エレベータ装置は、昇降路１の壁面と平行な面に一対のスライド溝１７を有した引張手段金具１８を有する。引張手段金具１８は、引張手段１４の上部に固定される。作動時に、ユーザーまたは作業員は、操作レバー１６を昇降路１の上下方向に操作し、引張手段金具１８を引張手段１４より上方向に伸長することができる。
【００２０】
なお、図２は、エレベータが緊急停止している状態での引張手段１４、及び伸縮手段１５を示す図である。
【００２１】
図４は図２の伸縮手段１５を示す詳細図である。図４において、伸縮手段１５は菱形の押し畳み式で、昇降路１の上下方向に自在に伸縮するパンタグラフである。伸縮手段１５の所定の回転軸部を支持部１３に固定する固定部材１９を有し、伸縮手段１５は固定部材１９を介して支持部１３に固定される。また、伸縮手段１５が固定部材１９より上方向には、先端に一対支点２０が取り付けられ、この一対支点２０が引張手段金具１８の一対スライド溝１７にそれぞれ挿入される。固定部材１９より下方向に、バランス保持手段１０と係合する連結部２１を有する。
【００２２】
連結部２１は伸縮手段１５の下部の先端に取り付けられる。この連結部２１は、ロープなどで構成され、連結部２１の両端部が伸縮手段１５の下部の両端支点とそれぞれナットや、クリップなどで固定される。また、この連結部２１は伸縮手段１５の最下端の回転軸部に固定される構造でもよい。
【００２３】
バランス保持手段１０がコンペンチェーンであり、かつ、連結部２１はロープなどである場合、図４に示すように、ロープがコンペンチェーンの輪の中に通されることにより、バランス保持手段１０と連結部２１が連結する。例えば、ロープは伸縮手段１５の先端の両端にネジ部がかしめられる場合、ロープの一端のネジ部にダブルナットで固定し、他端の自由端をコンペンチェーンの一つの輪に通した上で、伸縮手段１５の先端の穴に通して、ネジ部にダブルナットで固定する。
【００２４】
バランス保持手段１０がコンペンロープであり、かつ、連結部２１はロープなどである場合、ロープがコンペンロープにクリップで固定されることにより、バランス保持手段１０と連結部２１が連結する。
【００２５】
また、連結部２１がクリップである場合、伸縮手段１５の最下端の軸に固定され、コンペンロープをクリップで挟み込んで固定してもよい。なお、バランス保持手段１０と連結部２１との連結方法は上記の方法とは限らない。
【００２６】
以上、エレベータが緊急停止している状態でのバランス保持手段１０、及び連結部２１を示す構成を説明した。次に、エレベータ装置の動作を説明する。
【００２７】
図５〜図８は、この発明に係る実施の形態１によるエレベータ装置において、エレベータが緊急停止した場合の動作を示す図である。
【００２８】
図５は、エレベータ装置のバランス保持手段１０の引っ張りが完了した状態を示す図である。図において、かご８は、かご８より下方向の最寄階の乗場に降下している。図６は、図５のＢ部分のバランス保持手段１０の引っ張りが完了した状態の拡大図である。図６において、引張手段金具１８は引張手段１４に対して上方向に押し上げられ、一対の支点２０はスライド溝１７の最下端にスライドし、一対の支点２０の支点間が小さくなっている。
【００２９】
図７はエレベータ装置の支持部１３がガイドレール３のレールブラケット２に固定され、エレベータ装置のバランス保持手段１０の引っ張りが完了した状態を示す図である。
【００３０】
図８は図６の伸縮手段の詳細拡大図である。図において、伸縮手段１５は伸長され、菱形状になっている。
【００３１】
なお、以下の説明において、引張手段１４として、油圧ジャッキを用いる。
【００３２】
エレベータが緊急停止した場合、図１に示すように、かご８と釣合いおもり９とは平衡状態で、かつ巻上機６のブレーキが解放してもかご８が階間に停止した状態である。また、支持部１３、引張手段１４、伸縮手段１５は、昇降路１内においてかご８が昇降する側に配置される。なお、図９に示すように、支持部１３、引張手段１４、伸縮手段１５は、昇降路１内において釣合いおもり９が昇降する側に配置されても良い。
【００３３】
ユーザー、または保守作業員が、操作ユニット１１を操作して制御盤４を介して、巻上機６のブレーキを手動解放する。また作業員が引張手段１４の操作レバー１６を上下に操作することにより、引張手段１４に固定された引張手段金具１８を引張手段１４に対して上方向に移動させる。この際に伸縮手段１５の一対の支点２０を引張手段金具１８のスライド溝１７にスライドさせることで、伸縮手段１５を連動させて伸長する。その時、伸縮手段１５に連結した連結部２１とバランス保持手段１０とを連結されたため、伸縮手段１５が連結部２１によりバランス保持手段１０を引っ張って変位させる。その結果、図５に示すように、かご８が下方向の最寄階へ移動する。最後、図５に示すように、かご８を最寄階に停止させることができ、かご８内の乗客を救出することができる。
【００３４】
この発明の実施の形態１によれば、作業員が少ない力で操作レバー１６を上下に操作して引張手段１４を伸長させ、引張手段１４の小さい変位が伸縮手段１５の大きい伸長に変換されることで、構造が簡単、少ない労力及び短時間で簡単に乗客を救出することが可能となる。
【００３５】
実施の形態２．
以下、図を用いてこの発明の実施の形態２について説明する。実施の形態１と共通する構成要素については、同符号を付して実施の形態１からの変更点がない限り、その説明を省略するものとする。
【００３６】
上記実施の形態１では、油圧ジャッキである引張手段１４を有するエレベータ装置としたが、引張手段１４として手巻き式ジャッキを用いてもよい。この発明の実施の形態２は油圧ジャッキを手巻き式ジャッキに置き換えたものである。
【００３７】
図１０は、この発明の実施の形態２によるエレベータ装置を示す側面図である。図１１は図１０のＣ部分を示す詳細図である。
【００３８】
図１２は、この発明の実施の形態２によるエレベータ装置のバランス保持手段の引っ張りが完了したことを示す側面図である。図１３は図１２のＤ部分を示す詳細図である。図において、手巻き式ジャッキは支持部１３の下面に固定され、手巻き式ジャッキの下端の回転軸部と伸縮手段１５の上端の所定の回転軸部を連結し、作業員が手巻きハンドル２２を操作することにより、手巻き式ジャッキが動く。このような構成により、手巻き式ジャッキを有するエレベータ装置は、実施の形態１と同様の効果が得られる。
【００３９】
実施の形態３．
以下、図を用いてこの発明の実施の形態３について説明する。実施の形態１と共通する構成要素については、同符号を付して実施の形態１からの変更点がない限り、その説明を省略するものとする。
【００４０】
上記実施の形態１では、油圧ジャッキである引張手段１４を有するエレベータ装置としたが、引張手段１４として電動ジャッキを用いてもよい。この発明の実施の形態３は油圧ジャッキを電動ジャッキに置き換えたものである。
【００４１】
図１４はこの発明の実施の形態３によるエレベータ装置の側面図である。図において、制御盤４の内部には、バッテリー２３が設けられている。このバッテリー２３の電源と操作ユニット１１とがケーブル１２Ｂ、最下階乗場操作盤操作盤、及びケーブル１２Ａを介して連結される。また、操作ユニット１１と電動ジャッキ１４（引張手段）とは動力ケーブル２４を介して連結される。操作ユニット１１により、制御盤４内部のバッテリー２３からの電力がケーブル１２Ｂ、最下階乗場操作盤最下階乗場操作盤、ケーブル１２Ａ、操作ユニット１１、及び動力ケーブル２４を順番に介し、電動ジャッキ１４までに伝えられる。
【００４２】
図１５は図１４のエレベータ装置の操作開始時を示す詳細図である。図において、作業員は操作ユニット１１を操作して電動ジャッキを動かすことができる。
【００４３】
図１６はこの発明の実施の形態３によるエレベータ装置の開始状態からバランス保持手段１０の引っ張りが完了したことを示す側面図である。図１７は図１６のＦ部分を示す詳細図である。
【００４４】
実施の形態３よれば、人間の力を用いずに、電力で引張手段１４が昇降路１の上方向に伸長する。引張手段１４の伸長による小さい変位が、伸縮手段１５の大きい伸長に変換されることで、簡単な構造で、かつ短時間でかごを移動させることができる。その結果、非常時に、簡単に乗客を救出することが可能となる。
【００４５】
なお、実施の形態２と実施の形態３とのエレベータ装置は、実施の形態１と同じで、釣合いおもり９が昇降する側に配置されてもよい。
【産業上の利用可能性】
【００４６】
この発明のエレベータ装置は、かごが停止した状態の様々なエレベータに利用できる。
【符号の説明】
【００４７】
１  昇降路、２  レールブラケット、３  ガイドレール、４  制御盤、５  巻上機、６  基台、７  巻上ロープ、８  かご、９  釣合いおもり、１０  バランス保持手段、１１  操作ユニット、１２Ａ  ケーブル（最下階乗場操作盤と操作ユニットとの間）、１２Ｂ  ケーブル（制御盤と最下階乗場操作盤との間）、１３  支持部、１４  引張手段、１５  伸縮手段、１６  操作レバー、１７  スライド溝、１８  引張手段金具、１９  固定部材、２０  支点、２１  連結部、２２  手巻きハンドル、２３  バッテリー、２４  動力ケーブル
【図１】
2015209294.tif 000003
【図２】
2015209294.tif 000004
【図３】
2015209294.tif 000005
【図４】
2015209294.tif 000006
【図５】
2015209294.tif 000007
【図６】
2015209294.tif 000008
【図７】
2015209294.tif 000009
【図８】
2015209294.tif 000010
【図９】
2015209294.tif 000011
【図１０】
2015209294.tif 000012
【図１１】
2015209294.tif 000013
【図１２】
2015209294.tif 000014
【図１３】
2015209294.tif 000015
【図１４】
2015209294.tif 000016
【図１５】
2015209294.tif 000017
【図１６】
2015209294.tif 000018
【図１７】
2015209294.tif 000019